(57)【要約】【課題】集合住宅において各施設に対する呼出制御を円滑に行うことができるとともに、各施設間でのコミュニケーションをシームレスに行うことが可能な集合住宅コミュニケーションシステムを提供する。【解決手段】集合住宅２内の住居棟３に設置されて住居棟３内のユーザを呼出可能な装置である例えば居室親機１０と、居室親機１０と通信可能であって、居室親機１０へ第一呼出信号を送信可能に構成された住居棟サーバ４０と、集合住宅２内の共用棟４に設置されて共用棟４内のユーザを呼出可能な装置である例えばドアベル５０と、ドアベル５０と通信可能であって、ドアベル５０へ第二呼出信号を送信可能に構成された共用棟サーバ６０と、を備えた集合住宅コミュニケーションシステムであって、住居棟サーバ４０と共用棟サーバ６０との間で、第一呼出信号と第二呼出信号とを相互に通信可能に構成されている。【選択図】図１
2019146028.tif 000002
【特許請求の範囲】
【請求項１】
集合住宅内の第一施設に設置されて前記第一施設内のユーザを呼出可能な第一呼出装置と、
前記第一呼出装置と通信可能であって、前記第一呼出装置へ第一呼出信号を送信可能に構成された第一制御部と、
前記集合住宅内の第二施設に設置されて前記第二施設内のユーザを呼出可能な第二呼出装置と、
前記第二呼出装置と通信可能であって、前記第二呼出装置へ第二呼出信号を送信可能に構成された第二制御部と、
を備えた集合住宅コミュニケーションシステムであって、
前記第一制御部と前記第二制御部との間で、前記第一呼出信号と前記第二呼出信号とを相互に通信可能に構成されている、集合住宅コミュニケーションシステム。
【請求項２】
前記第一制御部および前記第二制御部の少なくとも一方において単一のアプリケーションを実行することにより、前記第一制御部と前記第二制御部との間で、前記第一呼出信号と前記第二呼出信号とを相互に通信可能に構成されている、請求項１に記載の集合住宅コミュニケーションシステム。
【請求項３】
前記第一呼出装置は、前記集合住宅内の各住居の居室に設置された居室親機、前記各住居の玄関に設置された居室玄関子機、前記集合住宅の集合玄関に設置された集合玄関機、および前記各住居に関連付けられたユーザが所有する携帯情報端末のうちの少なくとも１つを含む、請求項１または２に記載の集合住宅コミュニケーションシステム。
【請求項４】
前記第二呼出装置は、前記集合住宅内の共用施設に設置された呼出装置、前記集合住宅内の管理室に設置された管理室親機、および前記集合住宅から遠隔に配置された遠隔制御装置のうちの少なくとも１つを含む、請求項１から３のいずれか一項に記載の集合住宅コミュニケーションシステム。
【発明の詳細な説明】
【技術分野】
【０００１】
本発明は、集合住宅コミュニケーションシステムに関する。
【背景技術】
【０００２】
従来、複数の住居棟で構成される集合住宅向けのインターホンシステムがある（特許文献１参照）。このインターホンシステムの構成では、各住居棟は、インターホン回線（インターホン専用線）を介して制御機と接続されている。
また、スピーカと、マイクと、カメラと、呼出ボタンを備え、遠隔配置されるコンピューティング・デバイスと無線通信可能なＷＩＦＩドアベルが知られている（特許文献２参照）。
【先行技術文献】
【特許文献】
【０００３】
【特許文献１】特開２００４−２６０６７９号公報
【特許文献２】米国特許第９０９４５８４号明細書
【特許文献３】米国特許第８８７２９１５号明細書
【特許文献４】米国特許第９２３７３１８号明細書
【特許文献５】米国特許第８１４４１８３号明細書
【特許文献６】米国特許第９４３２６３８号明細書
【特許文献７】米国特許第９４８５４７８号明細書
【特許文献８】米国特許第９５１６２８４号明細書
【発明の概要】
【発明が解決しようとする課題】
【０００４】
ところで、各集合住宅には、住居や管理室だけではなく、駐車場やスポーツジムなどの共用施設が設けられている場合がある。このような集合住宅において、各住居や管理室の呼出制御に加えて、共用施設に設置される呼出装置（例えば、ドアベル）からの呼出制御を一括して行うシステムが求められている。
【０００５】
そこで、本発明は、集合住宅において各施設に対する呼出制御を円滑に行うことができるとともに、各施設間でのコミュニケーションをシームレスに行うことが可能な集合住宅コミュニケーションシステムを提供することを目的とする。
【課題を解決するための手段】
【０００６】
上記目的を達成するために、本発明の集合住宅コミュニケーションシステムは、
集合住宅内の第一施設に設置されて前記第一施設内のユーザを呼出可能な第一呼出装置と、
前記第一呼出装置と通信可能であって、前記第一呼出装置へ第一呼出信号を送信可能に構成された第一制御部と、
前記集合住宅内の第二施設に設置されて前記第二施設内のユーザを呼出可能な第二呼出装置と、
前記第二呼出装置と通信可能であって、前記第二呼出装置へ第二呼出信号を送信可能に構成された第二制御部と、
を備えた集合住宅システムであって、
前記第一制御部と前記第二制御部との間で、前記第一呼出信号と前記第二呼出信号とを相互に通信可能に構成されている。
【０００７】
上記構成によれば、通信先の呼出装置が異なる第一制御部と第二制御部との間で各呼出装置を呼び出すための呼出信号を相互に通信可能に構成されている。これにより、集合住宅において各施設に対する呼出制御を円滑に行うことができるとともに、各施設間でのコミュニケーションをシームレスに行うことができる。
【０００８】
また、上記集合住宅コミュニケーションシステムは、
前記第一制御部および前記第二制御部の少なくとも一方において単一のアプリケーションを実行することにより、前記第一制御部と前記第二制御部との間で、前記第一呼出信号と前記第二呼出信号とを相互に通信可能に構成されていてもよい。
【０００９】
この構成によれば、単一のアプリケーションにより第一制御部および第二制御部の両方を制御可能であるため、制御部間での連携をスムーズに行うことができる。
【００１０】
また、上記集合住宅コミュニケーションシステムにおいて、
前記第一呼出装置は、前記集合住宅内の各住居の居室に設置された居室親機、前記各住居の玄関に設置された居室玄関子機、前記集合住宅の集合玄関に設置された集合玄関機、および前記各住居に関連付けられたユーザが所有する携帯情報端末のうちの少なくとも１つを含んでもよい。
【００１１】
第一制御部は、一般の集合住宅向けインターホンシステムに用いられる統合制御部から構成されていることが好ましい。
【００１２】
また、上記集合住宅コミュニケーションシステムにおいて、
前記第二呼出装置は、前記集合住宅内の共用施設に設置された呼出装置、前記集合住宅内の管理室に設置された管理室親機、および前記集合住宅から遠隔に配置された遠隔制御装置のうちの少なくとも１つを含んでもよい。
【００１３】
この構成によれば、例えば、共用施設に第二呼出装置を新たに追加で設置した場合でも、第一制御部のシステム変更を要せずに、当該第二呼出装置からの第一呼出装置の呼出をスムーズに行うことができる。
【発明の効果】
【００１４】
本発明によれば、集合住宅において各施設に対する呼出制御を円滑に行うことができるとともに、各施設間でのコミュニケーションをシームレスに行うことが可能な集合住宅コミュニケーションシステムを提供することができる。
【図面の簡単な説明】
【００１５】
【図１】本発明の実施形態に係る集合住宅コミュニケーションシステムの構成を示す図である。
【図２】集合住宅コミュニケーションシステムが備える住居棟サーバの機能ブロック図である。
【図３】集合住宅コミュニケーションシステムが備えるドアベルの機能ブロック図である。
【図４】集合住宅コミュニケーションシステムが備える共用棟サーバの機能ブロック図である。
【図５】集合住宅コミュニケーションシステムの動作を説明するフローチャートである。
【発明を実施するための形態】
【００１６】
以下、本実施形態の一例に係る集合住宅コミュニケーションシステムについて、図面を参照して説明する。
図１は、本実施形態に係る集合住宅コミュニケーションシステムの構成を示す図である。
図１に示すように、集合住宅コミュニケーションシステム１は、住居棟３（第一施設の一例）、および共用棟４（第二施設の一例）などで構成される例えばマンション等の集合住宅２に用いられるシステムである。
【００１７】
集合住宅コミュニケーションシステム１は、住居棟３に、居室親機１０（第一呼出装置の一例）と、居室玄関子機２０（第一呼出装置の一例）と、集合玄関機３０（第一呼出装置の一例）と、呼出制御用の住居棟サーバ４０（第一制御部の一例）と、を備えている。
【００１８】
また、集合住宅コミュニケーションシステム１は、共用棟４に、ドアベル５０Ａ〜５０Ｄ（第二呼出装置の一例）と、呼出制御用の共用棟サーバ６０（第二制御部の一例）と、を備えている。ドアベル５０（５０Ａ〜５０Ｄ）は、例えば、共用施設として設けられているスポーツジム４Ａ、駐車場４Ｂ、あるいは集合住宅内の歩道などに建てられたセキュリティポール４Ｃ、あるいはコンシェルジュがいる管理室４Ｄ（管理室内やカウンタなど）等に設置されている。ドアベル５０（５０Ａ〜５０Ｄ）は、共用棟４に居るユーザ（例えば、来訪者，居住者，コンシェルジュ等）が住居棟３に居るユーザ（例えば、居住者等）と通話するため、あるいは共用棟４に居るユーザ同士で通話するためなどに用いられるものである。管理室４Ｄには、集合住宅２に関する住宅情報が保存される管理室親機７０として、例えば、ＰＣ（Ｐｅｒｓｏｎａｌ  Ｃｏｍｐｕｔｅｒ）が設置されている。
【００１９】
住居棟３と共用棟４とは、住居棟サーバ４０と共用棟サーバ６０とがネットワークＮを介して通信可能に接続されている。ネットワークＮとしては、例えば、インターネット、無線ローカルエリアネットワーク（ＬＡＮ）、ラジオ、セルラー、Ｂｌｕｅｔｏｏｔｈ（登録商標）、電磁波、赤外線光、音波、およびマイクロ波等のネットワーク通信手段を用いることが可能である。
【００２０】
住居棟３では、居室親機１０がインターホン回線（インターホン専用線）Ｌ１を介して住居棟サーバ４０と通信可能に接続されている。また、集合玄関機３０がインターホン回線Ｌ２を介して住居棟サーバ４０と通信可能に接続されている。また、居室玄関子機２０がインターホン回線Ｌ３を介して居室親機１０と通信可能に接続されている。
【００２１】
共用棟４では、ドアベル５０（５０Ａ〜５０Ｄ）がネットワークＮを介して共用棟サーバ６０と通信可能に接続されている。なお、ドアベル５０（５０Ａ〜５０Ｄ）とネットワークＮを中継する通信機器としては、例えば、Ｗｉ−Ｆｉルータが用いられ得る。
【００２２】
また、住居棟３の住居棟サーバ４０は、携帯情報端末８０（第一呼出装置の一例）とネットワークＮを介して通信可能に接続されうる。携帯情報端末８０は、例えば、各住居に関連付けられたユーザ（例えば、居住者）が所有するスマートフォン、タブレットコンピュータ、およびその他の携帯情報端末である。
【００２３】
また、集合住宅コミュニケーションシステム１には、集合住宅２から離れた場所に遠隔コントロールセンタ５が設けられており、その遠隔コントロールセンタ５には集合住宅の情報を管理する遠隔制御装置９０（第二呼出装置の一例）が設置されている。遠隔制御装置９０は、例えば、ＰＣからなり、集合住宅のマスターデータが記憶されている。遠隔制御装置９０は、ネットワークＮを介して共用棟サーバ６０と通信可能に接続されている。遠隔コントロールセンタ５は、例えば、マンション管理会社、セキュリティ会社などである。
【００２４】
居室親機１０は、集合住宅の各住居内に設置されている。居室親機１０は、表示部１１、操作部１２、通話部１３等を備えている。居室親機１０は、通話部１３を介して、例えば、居室玄関子機２０や集合玄関機３０やドアベル５０（５０Ａ〜５０Ｄ）や携帯情報端末８０や遠隔制御装置９０からの呼び出しに対して応答できるように構成されている。また、居室親機１０は、操作部１２を操作することで、例えば、スポーツジム４Ａのドアベル５０Ａ、駐車場４Ｂのドアベル５０Ｂ、管理室４Ｄのドアベル５０Ｄ、携帯情報端末８０、および遠隔制御装置９０を呼び出すことができるように構成されている。各居室親機１０には、その居室機を特定する居室親機ＩＤが記憶されている。
【００２５】
居室玄関子機２０は、住居の玄関に設置されている。居室玄関子機２０は、カメラ２１、操作部２２、通話部２３等を備えている。居室玄関子機２０は、操作部２２を操作することで、その居室玄関子機２０が接続されている居室親機１０を呼び出すことができるように構成されている。
【００２６】
集合玄関機３０は、集合住宅の集合玄関や共用スペース等に設置されている。集合玄関機３０は、呼出部３１、通話部３２、カメラ３３、表示部３４等を備えている。集合玄関機３０は、呼出部３１を操作することで、例えば、居室親機１０、スポーツジム４Ａのドアベル５０Ａ、駐車場４Ｂのドアベル５０Ｂ、管理室４Ｄのドアベル５０Ｄ、携帯情報端末８０、および遠隔制御装置９０を呼び出すことができるように構成されている。また、集合玄関機３０は、通話部３２を介して、例えば、居室親機１０に居る居住者や、ドアベル５０Ａ、ドアベル５０Ｂ、あるいはドアベル５０Ｄに居るユーザ（例えば、来訪者、居住者、コンシェルジュ等）や、携帯情報端末８０を携帯する居住者や、遠隔コントロールセンタ５に居る担当者と通話可能に構成されている。また、集合玄関機３０は、カメラ３３により、ユーザ（例えば、来訪者等）を撮像することができるように構成されている。集合玄関機３０には、その玄関機を特定する集合玄関機ＩＤが記憶されている。
【００２７】
携帯情報端末８０は、住居棟サーバ４０を経由して、例えば、ドアベル５０（５０Ａ〜５０Ｄ）、集合玄関機３０、居室玄関子機２０、遠隔制御装置９０等からの呼び出しに応答することができるように構成されている。携帯情報端末８０は、所定のユーザ・インターフェースを表示可能なタッチスクリーン型の表示部８１を有する。携帯情報端末８０は、ドアベル５０（５０Ａ〜５０Ｄ）等から送信されてくる信号に基づいて、所定のコンピュータソフトウェア（例えば、音声通話および画像表示用のアプリケーションソフトウェア）を実行する。例えば、携帯情報端末８０は、表示部８１上に表示されるユーザ・インターフェースをタッチすることでドアベル５０（５０Ａ〜５０Ｄ）等からの呼び出しに応答することを許可させ来訪者との間で双方向通信を開始させるアプリケーションソフトウェアを実行することができる。また、携帯情報端末８０は、表示部８１上に表示されるユーザ・インターフェースをタッチ操作することで、例えば、集合玄関機３０、スポーツジム４Ａのドアベル５０Ａ、駐車場４Ｂのドアベル５０Ｂ、管理室４Ｄのドアベル５０Ｄ、および遠隔制御装置９０を呼び出すことができるように構成されている。携帯情報端末８０には、その情報端末を特定する携帯情報端末ＩＤが記憶されている。
【００２８】
住居棟サーバ４０は、呼出制御用のサーバであり、図２に示すように、記憶部４１と、信号変換部４２と、映像制御機４３と、オーディオ制御機４４と、制御部４５と、通信インタフェース（以下、通信Ｉ／Ｆと称する）４６と、を備えている。
【００２９】
記憶部４１には、住居棟３の居室親機１０、居室玄関子機２０、集合玄関機３０、および携帯情報端末８０等に関する情報や、共用棟４のドアベル５０Ａ〜５０Ｄ等に関する情報が、例えば、呼出制御用の呼出テーブルに対応付けられて記憶されている。また、記憶部４１には、住居棟サーバ４０を特定する住居棟サーバＩＤが記憶されている。
【００３０】
また、記憶部４１には、居室親機１０、居室玄関子機２０、集合玄関機３０、および携帯情報端末８０から送信されてきた呼出信号やデータ（例えば、画像データ、音声データ等）を記憶部４１に格納するとともに、当該呼出信号やデータを共用棟サーバ６０へ送信することが可能なアプリケーションがインストールされている。このアプリケーションは、共用棟サーバ６０から送信されてきた呼出信号およびデータ（例えば、画像データ、音声データ等）を記憶部４１に格納するとともに、当該呼出信号およびデータを所定の居室親機１０、集合玄関機３０、携帯情報端末８０へ送信することも可能である。さらに、このアプリケーションは、居室親機１０と集合玄関機３０との間、居室親機１０および集合玄関機３０と携帯情報端末８０との間においても、同様に呼出信号やデータを格納および送信することが可能である。
【００３１】
信号変換部４２は、インターホン回線Ｌ１〜Ｌ３で通信可能なアナログ信号を、ネットワークＮで通信可能なデジタル信号に変換するアナログデジタル変換部と、その反対にデジタル信号をアナログ信号に変換するデジタルアナログ変換部とを有する。
【００３２】
映像制御機４３は、集合玄関機３０で撮像された映像信号を信号処理するとともに、処理した映像信号を居室親機１０、携帯情報端末８０、あるいは共用棟サーバ６０に向けて送信する。オーディオ制御機４４は、居室親機１０、集合玄関機３０、あるいは共用棟サーバ６０から送信されてきた音声信号を信号処理するとともに、処理した音声信号を通話対象機器に向けて送信する。
【００３３】
制御部４５は、住居棟サーバ４０の各部の動作を制御する。制御部４５は、１以上のプロセッサと１以上のメモリを含む少なくとも一つのマイクロコントローラと、トランジスタ等のアクティブ素子およびパッシブ素子を含むその他電子回路を含んでもよい。プロセッサは、メモリに記憶された制御プログラムから指定されるプログラムを読出し、メモリとの協働で各種処理を実行するように構成されてもよい。
【００３４】
制御部４５は、インターホン回線Ｌで接続されている居室親機１０および集合玄関機３０と、ネットワークＮで接続されている共用棟４の共用棟サーバ６０との間の通信処理等の制御を呼出テーブルに基づいて行う。また、制御部４５は、ネットワークＮで接続されている携帯情報端末８０と、ネットワークＮで接続されている共用棟４の共用棟サーバ６０との間の通信処理等の制御を呼出テーブルに基づいて行う。また、制御部４５は、インターホン回線Ｌ１で接続されている居室親機１０と、インターホン回線Ｌ２で接続されている集合玄関機３０との間の通信処理等の制御を呼出テーブルに基づいて行う。また、制御部４５は、インターホン回線Ｌで接続されている居室親機１０および集合玄関機３０と、ネットワークＮで接続されている携帯情報端末８０との間の通信処理等の制御を呼出テーブルに基づいて行う。
【００３５】
制御部４５は、居室親機１０、集合玄関機３０、および携帯情報端末８０から、例えば、ドアベル５０Ａ〜５０Ｄを呼び出す呼出信号が送信されてくると、記憶部４１にインストールされている上記アプリケーションを実行し、所定の相互間における通信処理を開始する。また、制御部４５は、共用棟４の共用棟サーバ６０から、例えば、居室親機１０、集合玄関機３０、あるいは携帯情報端末８０を呼び出す呼出信号が送信されてくると、記憶部４１にインストールされている上記アプリケーションを実行し、所定の相互間における通信処理を開始する。
【００３６】
通信Ｉ／Ｆ４６は、住居棟サーバ４０と共用棟サーバ６０との間、および住居棟サーバ４０と携帯情報端末８０との間におけるインターネットＮを介した信号伝送路を形成する。また、通信Ｉ／Ｆ４６は、住居棟サーバ４０と居室親機１０および集合玄関機３０との間におけるインターホン回線Ｌ（Ｌ１，Ｌ２）を介した信号伝送路を形成する。
【００３７】
ドアベル５０（５０Ａ〜５０Ｄ）は、図３に示すように、制御部５１と、操作部５２と、マイク５３と、スピーカ５４と、人感センサ５５と、カメラ５６と、画像処理部５７と、位置情報取得部５８と、通信Ｉ／Ｆ５９と、を備えている。
【００３８】
制御部５１は、ドアベル５０の各部の動作を制御する。制御部５１は、１以上のプロセッサと１以上のメモリを含む少なくとも一つのマイクロコントローラと、トランジスタ等のアクティブ素子およびパッシブ素子を含むその他電子回路を含んでもよい。プロセッサは、メモリに記憶されたドアベル制御プログラムから指定されるプログラムを読出し、メモリとの協働で各種処理を実行するように構成されてもよい。
【００３９】
操作部５２は、ユーザ（例えば、来訪者，居住者，コンシェルジュ等）の各種入力操作を受け付ける。各種入力操作には、例えば、住居棟３に居るユーザ（例えば、居住者等）を呼び出すための入力操作、共用棟４に居る他のユーザを呼び出すための入力操作等が含まれる。マイク５３およびスピーカ５４は、通話先のユーザに向けてドアベル側ユーザの音声データを送出したり、ドアベル側のユーザに向けて通話先ユーザからの音声データを出力するための通話部を構成する。
【００４０】
人感センサ５５は、ドアベル５０の前方にいる人物（ユーザ）を検知するためのセンサであり、例えば、赤外線センサで構成されている。人感センサ５５は、制御部５１を介して、カメラ５６に接続されている。人感センサ５５は、人物を検知したことを知らせる検出信号をカメラ５６へ出力する。カメラ５６は、ユーザを撮像するための撮像機器である。カメラ５６は、例えば、ウェブカメラであるビデオカメラとして構成しても良い。カメラ５６は、人感センサ５５から出力される検出信号に基づいて起動する。カメラ５６が撮像した画像は、画像処理部５７へ出力される。画像処理部５７は、制御部５１の制御信号に基づいて、カメラ５６から取得した画像データを、通信Ｉ／Ｆ５９を介して共用棟サーバ６０へ送信する。
【００４１】
位置情報取得部５８は、所定のドアベル５０（５０Ａ〜５０Ｄ）を特定するためドアベルの位置情報を取得するように構成されている。位置情報は、例えば、ＧＰＳ（Ｇｌｏｂａｌ  Ｐｏｓｉｔｉｏｎｉｎｇ  Ｓｙｓｔｅｍ）を用いて取得される。なお、ドアベル５０（５０Ａ〜５０Ｄ）を設置する際にそのドアベルの位置情報を位置情報取得部５８に予め登録しておいてもよい。なお、所定のドアベル５０（５０Ａ〜５０Ｄ）を特定するために用いられる情報としては、各ドアベル５０Ａ〜５０Ｄを特定可能なドアベルＩＤを用いてもよい。ドアベルＩＤは、各ドアベル５０Ａ〜５０Ｄにそれぞれ記憶しておく。
【００４２】
通信Ｉ／Ｆ５９は、ドアベル５０と共用棟サーバ６０との間におけるインターネットＮを介した信号伝送路を形成する。
【００４３】
共用棟サーバ６０は、呼出制御用のサーバであり、図４に示すように、記憶部６１と、映像制御機６２と、オーディオ制御機６３と、制御部６４と、通信Ｉ／Ｆ６５と、を備えている。
【００４４】
記憶部６１には、共用棟４のドアベル５０Ａ〜５０Ｄ等に関する情報や、住居棟３の居室親機１０、居室玄関子機２０、集合玄関機３０、および携帯情報端末８０等に関する情報が、例えば、呼出制御用の呼出テーブルに対応付けられて記憶されている。また、記憶部６１には、共用棟サーバ６０を特定する共用棟サーバＩＤが記憶されている。
【００４５】
また、記憶部６１には、ドアベル５０Ａ〜５０Ｄから送信されてきた呼出信号およびデータ（例えば、画像データ、音声データ等）が格納されるとともに、当該呼出信号およびデータを住居棟サーバ４０へ送信することが可能なアプリケーションがインストールされている。このアプリケーションは、住居棟サーバ４０から送信されてきた呼出信号やデータ（例えば、画像データ、音声データ等）を記憶部６１に格納するとともに、当該呼出信号やデータを所定のドアベル５０（５０Ａ〜５０Ｄ）へ送信することも可能である。また、このアプリケーションは、ドアベル５０Ａ〜５０Ｃから送信されてきた呼出信号およびデータを記憶部６１に格納するとともに、当該呼出信号やデータをドアベル５０Ｄへ送信することが可能である。さらに、このアプリケーションは、遠隔制御装置９０とドアベル５０Ｄとの間、あるいは遠隔制御装置９０と住居棟サーバ４０との間においても、同様に呼出信号やデータを格納および送信することが可能である。
【００４６】
映像制御機６２は、ドアベル５０（５０Ａ〜５０Ｄ）で撮像された映像信号を信号処理するとともに、処理した映像信号を住居棟サーバ４０、あるいは他のドアベル５０（５０Ａ〜５０Ｄ）に向けて送信する。オーディオ制御機６３は、ドアベル５０（５０Ａ〜５０Ｄ）から送信されてきた音声信号を信号処理するとともに、処理した音声信号を住居棟サーバ４０、あるいは他のドアベル５０（５０Ａ〜５０Ｄ）に向けて送信する。
【００４７】
制御部６４は、共用棟サーバ６０の各部の動作を制御する。制御部６４は、住居棟サーバ４０の制御部４５やドアベル５０の制御部５１と同様のハードウェアで構成されている。制御部６４は、ネットワークＮで接続されているドアベル５０（５０Ａ〜５０Ｄ）と、ネットワークＮで接続されている住居棟３の住居棟サーバ４０との間の通信処理等の制御を呼出テーブルに基づいて行う。また、制御部６４は、ネットワークＮで接続されているドアベル５０（５０Ａ〜５０Ｄ）相互間の通信処理等の制御を呼出テーブルに基づいて行う。
【００４８】
制御部６４は、ドアベル５０Ａ〜５０Ｄから、例えば、住居棟３の居室親機１０、携帯情報端末８０、あるいは他のドアベル５０Ａ〜５０Ｄを呼び出す呼出信号が送信されてくると、記憶部６１にインストールされている上記アプリケーションを実行し、所定の相互間における通信処理を開始する。また、制御部６４は、住居棟３の住居棟サーバ４０から、例えば、ドアベル５０（５０Ａ〜５０Ｄ）を呼び出す呼出信号が送信されてくると、記憶部６１にインストールされている上記アプリケーションを実行し、所定の相互間における通信処理を開始する。
【００４９】
通信Ｉ／Ｆ６５は、共用棟サーバ６０と住居棟サーバ４０、ドアベル５０（５０Ａ〜５０Ｄ）、および遠隔制御装置９０との間におけるインターネットＮを介した信号伝送路を形成する。
【００５０】
次に、図５を参照して、集合住宅コミュニケーションシステム１の動作について説明する。
例えば、共用棟４のドアベル５０から住居棟３の居室親機１０が呼び出される場合、集合住宅コミュニケーションシステム１は以下のように動作する。
【００５１】
来訪者により、例えば、駐車場４Ｂに設置されているドアベル５０Ｂの操作部５２を介して、訪問先である部屋番号「１０１」が入力された後に呼出ボタンが押下される（ステップＳ１）。
入力された「１０１」は、ネットワークＮを介して共用棟サーバ６０へ呼出信号「１０１」として送信される（ステップＳ２）。なお、送信される呼出信号「１０１」には、送信元であるドアベル５０Ｂを特定する位置情報あるいはドアベルＩＤ（本例では、ドアベルＩＤを用いる）が付加される。また、上記呼出ボタンが押下されると、ドアベル５０Ｂのカメラ５６で撮影された画像データと、マイク５３で取得された音声データとがネットワークＮを介して共用棟サーバ６０へ送信される。
【００５２】
ドアベルＩＤが付加された呼出信号「１０１」を受信した共用棟サーバ６０の制御部６４は、記憶部６１にインストールされているアプリケーションを実行する（ステップＳ３）。制御部６４は、アプリケーションの命令に応じて、ネットワークＮを介しドアベル５０Ｂと共用棟サーバ６０との間の通信を確立する（ステップＳ４）。制御部６４は、呼出テーブルを参照して、送信元が駐車場４Ｂのドアベル５０Ｂであること、および呼出先が住居棟３の１０１号室（居室親機１０）であることを認識する（ステップＳ５）。そして、制御部６４は、受信した呼出信号「１０１」、ドアベルＩＤ、画像データ、および音声データを記憶部６１に格納するとともに、当該呼出信号「１０１」、ドアベルＩＤ、画像データ、および音声データをネットワークＮを介して住居棟サーバ４０へ向けて送信する（ステップＳ６）。なお、送信される呼出信号「１０１」には、送信元である共用棟サーバ６０の共用棟サーバＩＤが付加される。
【００５３】
共用棟サーバＩＤが付加された呼出信号「１０１」を受信した住居棟サーバ４０の制御部４５は、記憶部４１にインストールされているアプリケーションを起動する（ステップＳ７）。制御部４５は、アプリケーションの命令に応じて、ネットワークＮを介し共用棟サーバ６０と住居棟サーバ４０との間の通信を確立する（ステップＳ８）。制御部４５は、呼出テーブルを参照して、送信元が共用棟サーバ６０であること、呼出元が駐車場４Ｂのドアベル５０Ｂであること、および呼出先が１０１号室の居室親機１０であることを認識する（ステップＳ９）。そして、制御部４５は、受信した呼出信号「１０１」、共用棟サーバＩＤ、ドアベルＩＤ、画像データ、および音声データを記憶部４１に格納する。制御部４５は、受信した上記呼出信号「１０１」等のデジタル信号を、信号変換部４２により、インターホン回線Ｌで通信可能なアナログ信号に変換する（ステップＳ１０）。制御部４５は、変換された呼出信号「１０１」をインターホン回線Ｌ１を介して全ての居室親機１０に向けて送信する（ステップＳ１１）。なお、この場合、画像データ（来訪者の映像）も呼出信号「１０１」に添付される。
【００５４】
呼出信号「１０１」を受信した各居室親機１０は、呼出信号「１０１」が自機に対する呼出信号であるか否か判別する。この場合、１０１号室の居室親機１０が自機に対する呼出信号であると判別する。これにより、１０１号室の居室親機１０では、通話部１３のスピーカから呼出音が出力されるとともに、所定の呼出ランプが点灯されてドアベル５０Ｂからの呼び出しであることを報知する（ステップＳ１２）。また、表示部１１には訪問者の映像が表示される。１０１号室の居住者によって居室親機１０の通話ボタンが押下されると、居室親機１０とドアベル５０Ｂとの間の信号通信が許可されて、例えば通話可能となる（ステップＳ１３）。
【００５５】
なお、上記のステップＳ１１では、呼出信号「１０１」をインターホン回線Ｌ１を介して全ての居室親機１０に向けて送信する方法を採用しているが、制御部４５は、共用棟サーバ６０から受信した呼出信号「１０１」に基づいて、呼出先を判別し、当該呼出信号「１０１」に関連付けられた１０１号室の居室親機１０のみに呼出信号「１０１」を送信してもよい。
【００５６】
例えば、ドアベル５０（５０Ａ〜５０Ｄ）から各住居に関連付けられた居住者が所有する携帯情報端末８０を呼び出す場合も、上記と同様のステップで各処理が実行される。ただし、この場合、住居棟サーバ４０制御部４５と携帯情報端末８０との間はネットワークＮを介した通信になる。また、この場合、先ずドアベル５０（５０Ａ〜５０Ｄ）から居室親機１０への呼び出しが行われて居室親機１０で応答がなかったときに、各住居に関連付けられた居住者が所有する携帯情報端末８０へその呼び出しが自動的に転送されるようにしてもよい。
また、例えば、居室親機１０および携帯情報端末８０からドアベル５０（５０Ａ〜５０Ｄ）を呼び出すことも可能であり、その場合には、上記と逆のステップで同様の処理が行なわれて、各呼び出し動作が実行される。
【００５７】
以上説明したように、本実施形態に係る集合住宅コミュニケーションシステム１によれば、通信先の呼出装置が異なる２つの制御部、すなわち、通信先の呼出装置がドアベル５０等である共用棟サーバ６０と、通信先の呼出装置が居室親機１０等である住居棟サーバ４０との間で各呼出装置を呼び出すための呼出信号（第一呼出信号および第二呼出信号の一例）を相互に通信可能に構成されている。これにより、集合住宅２において棟が相違している住居棟３や共用棟４に対する呼出制御を円滑に行うことができるとともに、各棟間でのコミュニケーションをシームレスに行うことができる。
【００５８】
また、各サーバにインストールされる単一のアプリケーションにより、住居棟サーバ４０および共用棟サーバ６０の両方を制御可能であるため、サーバ間での連携をスムーズに行うことができる。
【００５９】
また、共用棟４にドアベル５０を新たに追加で設置した場合、住居棟サーバ４０のシステム変更を要せずに、当該ドアベル５０からの居室親機１０の呼出をスムーズに行うことができる。同様に、住居棟３に居室親機１０を新たに追加で設置した場合、共用棟サーバ６０のシステム変更を要せずに、当該居室親機１０からのドアベル５０の呼出をスムーズに行うことができる。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６１】
１：集合住宅コミュニケーションシステム、２：集合住宅、３：住居棟（第一施設の一例）、４：共用棟（第二施設の一例）、４Ａ：スポーツジム、４Ｂ：駐車場、４Ｃ：セキュリティポール、４Ｄ：管理室、５：遠隔コントロールセンタ、１０：居室親機（第一呼出装置の一例）、２０：居室玄関子機（第一呼出装置の一例）、３０：集合玄関機（第一呼出装置の一例）、４０：住居棟サーバ（第一制御部の一例）、５０（５０Ａ〜５０Ｄ）：ドアベル（第二呼出装置の一例）、６０：共用棟サーバ（第二制御部の一例）、７０：管理室親機、８０：携帯情報端末（第一呼出装置の一例）、９０：遠隔制御装置（第二呼出装置の一例）、Ｌ（Ｌ１，Ｌ２，Ｌ３）：インターホン回線、Ｎ：ネットワーク
【図１】
2019146028.tif 000003
【図２】
2019146028.tif 000004
【図３】
2019146028.tif 000005
【図４】
2019146028.tif 000006
【図５】
2019146028.tif 000007